(57)【要約】      （修正有）【課題】位置決め突起と位置決め切り欠きとのクリアランスを小さくでき、回転体のラジアル方向のガタを縮小できる回転スイッチ用回転軸固定構造を提供する。【解決手段】回転軸筒２０を中心として回転体３０を回転する回転スイッチ装置において、回転軸筒の上端に位置決め切り欠きとカシメ用切り欠き２２をと設け、このカシメ用切り欠きを軸受け１１に対して開くようにして回転軸筒の延出した部分を軸受け外側にカシメる。【選択図】図５
0003187078.tif 000002
【実用新案登録請求の範囲】
【請求項１】
スイッチ本体に軸受を介して回転軸筒を固定し、この回転軸筒を中心として回転体を回転することにより、スイッチをＯＮ／ＯＦＦする回転スイッチ装置において、前記軸受の内周面に位置決め突起を設けるとともに前記回転軸筒の上端に位置決め切り欠きとカシメ用切り欠きをと設け、前記回転軸筒を前記軸受に内挿した状態で前記位置決め突起を前記位置決め切り欠きに係止するとともに前記回転軸筒の上端部を前記カシメ用切り欠きが前記軸受から露出するように延出し、このカシメ用切り欠きを前記軸受けに対して開くようにして前記回転軸筒の延出した部分を前記軸受け外側にカシメたことを特徴とする回転スイッチ用回転軸固定構造。
【請求項２】
前記位置決め切り欠きと前記カシメ用切り欠きとは互いに対向していることを特徴とする請求項１の回転スイッチ用回転軸固定構造。
【請求項３】
前記カシメ用切り欠きを前記位置決め切り欠きよりは幅狭にしたことを特徴とする請求項１又は請求項２の回転スイッチ用回転軸固定構造。
【考案の詳細な説明】
【技術分野】
【０００１】
この考案は回転スイッチ用回転軸固定構造に関し、回転スイッチにおいて回転体に回転軸を嵌合固定する場合に使用されるものである。
【背景技術】
【０００２】
一般的に、回転スイッチ装置Ａは、図１及び図２に示すように、スイッチ本体１０に軸受１１を介して回転軸筒２０を固定し、この回転軸筒２０を中心として回転体３０，３０を回転することにより、スイッチをＯＮ／ＯＦＦしている。
この回転スイッチ装置Ａにおいて前記スイッチ本体１０に前記回転軸筒２０を固定する場合、従来にあっては、図１及び図２に示すように、前記軸受１１の内周面に位置決め突起１２を設けるとともに前記回転軸筒２０に位置決め切り欠き２１係止し、前記回転筒軸２０の上部を前記軸受１１から延出して、図３及び図４に示すように前記軸受１１に対して前記位置決め切り欠き２１の近傍を押し広げる（矢印参照）ようにしてこの延出した部分を前記軸受１１の外側にカシメていた。
【０００３】
【特許文献１】特開２０１３−１３１４５１号公報
【考案の開示】
【考案が解決しようとする課題】
【０００４】
しかしながら、かかる従来の回転スイッチ用回転軸固定構造にあっては、前記回転筒軸２０の上部を前記軸受１１に対してカシメる場合、図３及び図４に示すように前記位置決め切り欠き２１を開くようにして回転筒軸１２の延出した部分をカシメていたため、前記位置決め切り欠き２１の溝幅が拡大し、前記位置決め突起１２とのクリアランスが設計上のクリアランスに加えて拡大し、この結果、前記回転筒軸２０のラジアル方向のガタが拡大して回転スイッチ装置Ａの機能が損なわれやすいという不都合を有した。
【０００５】
この考案の課題はこの不都合を解消することである。
【課題を解決するための手段】
【０００６】
前記不都合を解消するために、この考案に係る回転スイッチ用回転軸固定構造においては、スイッチ本体に軸受を介して回転軸筒を固定し、この回転軸筒を中心として回転体を回転することにより、スイッチをＯＮ／ＯＦＦする回転スイッチ装置において、前記軸受の内周面に位置決め突起を設けるとともに前記回転軸筒の上端に位置決め切り欠きとカシメ用切り欠きをと設け、前記回転軸筒を前記軸受に内挿した状態で前記位置決め突起を前記位置決め切り欠きに係止するとともに前記回転軸筒の上端部を前記カシメ用切り欠きが前記軸受から露出するように延出し、このカシメ用切り欠きを前記軸受けに対して開くようにして前記回転軸筒の延出した部分を前記軸受け外側にカシメたものである。
【０００７】
この場合、前記位置決め切り欠きと前記カシメ用切り欠きとを互いに対向させることができる。
【０００８】
また、前記カシメ用切り欠きを前記位置決め切り欠きより幅狭にすることができる。
【考案の効果】
【０００９】
この考案に係る回転スイッチ用回転軸固定構造は上記のように構成されているため、即ち、スイッチ本体に軸受を介して回転軸筒を固定し、この回転軸筒を中心として回転体を回転することにより、スイッチをＯＮ／ＯＦＦする回転スイッチ装置において、前記軸受の内周面に位置決め突起を設けるとともに前記回転軸筒の上端に位置決め切り欠きとカシメ用切り欠きをと設け、前記回転軸筒を前記軸受に内挿した状態で前記位置決め突起を前記位置決め切り欠きに係止するとともに前記回転軸筒の上端部を前記カシメ用切り欠きが前記軸受から露出するように延出し、このカシメ用切り欠きを前記軸受けに対して開くようにして前記回転軸筒の延出した部分を前記軸受け外側にカシメたため、図９及び図１０に示すように、カシメ用切り欠きの溝幅が広がっても位置決め用切り欠きの幅が広がることはなく、むしろ、図８に示すように幅狭になるものである。
【００１０】
よって、この回転スイッチ用回転軸固定構造を使用すれば、回転体に回転筒軸をカシメ止めするにもかかわらず、位置決め突起と位置決め切り欠きとのクリアランスを設計上のクリアランスに抑えることができるというよりもむしろ小さくすることができ、この結果、前記回転体１０のラジアル方向のガタは従来よりも縮小して回転スイッチ装置の機能は向上するものである。
【００１１】
この場合、前記位置決め切り欠きと前記カシメ用切り欠きとを互いに対向させれば、カシメ用切り欠きのカシメの影響を位置決め用切り欠きに及ぼさないものである。
【００１２】
また、前記カシメ用切り欠きを前記位置決め切り欠きより幅狭にすれば、カシメ用切り欠きを誤って位置決め用突起に係止することがないため、組み付け作業の作業能率を向上させることができる。
【考案を実施するための最良の形態】
【００１３】
この考案に係る回転スイッチ用回転軸固定構造は実施するにあたって下記の構成に最も主要な特徴を有する。
【００１４】
「回転軸筒の延出した部分を軸受け外側にカシメる」場合、図１０に示すように、カシメ用切り欠きの内壁面及び回転軸筒の内壁面におけるカシメ用切り欠きの近傍へ荷重をかけるようにする。
【００１５】
「位置決め切り欠き」と「カシメ用切り欠き」とは互いに対向していることが望ましい。
【００１６】
「カシメ用切り欠き」を「位置決め切り欠き」より幅狭にすることが望ましい。
【実施例】
【００１７】
以下、この考案の実施例を図面に基づいて説明する。
【００１８】
図５は本考案の回転スイッチ用回転軸固定構造の部分断面図、図６は同回転軸筒の斜視図、図７は回転スイッチ用回転軸固定構造部分斜視図、図８は同カシメ工程を説明する平面図、図９は同カシメ工程前を説明する斜視図、図１０は同カシメ工程後を説明する斜視図である。
【００１９】
図５〜図１０において、Ａは回転スイッチ装置、１０はそのスイッチ本体である。このスイッチ本体１０は樹脂製であり、円筒状をしている。１１は軸受であり、前記スイッチ本体１０の上部開口部に一体形成されている。この軸受１１は前記スイッチ本体１０の軸心に位置している。１２は位置決め突起であり、前記軸受１１の上端内周面に突設されている（図７参照）。この位置決め突起１２はスイッチ本体１０の軸心方向に向いている。なお、１３は取付板であり、前記スイッチ本体１０に一体形成されている。この取付板１３を介して前記回転スイッチ装置Ａは車両等に設置される。
【００２０】
２０は回転軸筒、２１はその上端縁に形成された位置決め切り欠きである。この位置決め切り欠き２１を前記位置決め突起１２に係止するように、前記回転軸筒２０は下方から前記軸受１１に嵌挿されている。このとき、前記回転軸筒２０の上端部は前記軸受１１から突出している。
【００２１】
２２はカシメ用切り欠きであり、前記回転軸筒２０の上端縁に形成されている。このカシメ用切り欠き２２は前記位置決め切り欠き２１に対向しており、その上端部は前記軸受１１から突出している。なお、前記カシメ用切り欠き２２の深さは前記位置決め切り欠き２１の深さと略同じである。
【００２２】
この回転筒軸２０の上部を前記軸受１１に固定する場合は、図９及び図１０に示すように前記カシメ用切り欠き２２及びその近傍を開くようにして（矢印参照）前記回転筒軸１２の突出した部分を図１０のようにカシメれば良い。このとき、前記カシメ用切り欠き２２の溝幅が広がっても前記位置決め用切り欠き２１の溝幅が広がることはなく、むしろ、図８に示すように幅狭になるものである（矢印Ｂ参照）。
【００２３】
なお、図１及び図５において、３０,３０は回転体であり、前記スイッチ本体１０の外周面に回転可能に外嵌めされている。この回転体３０,３０は前記回転筒軸２０を中心として回転し、当該回転スイッチ装置ＡをＯＮ／ＯＦＦする。
【産業上の利用可能性】
【００２４】
この考案に係る回転スイッチ用回転軸固定構造は、図９及び図１０に示すように、カシメ用切り欠きの幅が広がっても位置決め用切り欠きの幅が広がることはなく、むしろ、図８に示すように幅狭になる。回転体に回転筒軸をカシメ止めするにもかかわらず、位置決め突起と位置決め切り欠きとのクリアランスを設計上のクリアランスに抑えることができるというよりもむしろ小さくすることができ、この結果、回転体１０のラジアル方向のガタは従来よりも縮小して回転スイッチ装置の機能は向上する。よって、産業上の利用可能性は高いものである。
【図面の簡単な説明】
【００２５】
【図１】図１は従来の回転スイッチ用回転軸固定構造の部分断面図である。
【図２】図２は同部分斜視図である。
【図３】図３は同カシメ工程前を説明する斜視図である。
【図４】図４は同カシメ工程後を説明する斜視図である。
【図５】図５は本考案の回転スイッチ用回転軸固定構造の部分断面図である。
【図６】図６は同回転軸筒の斜視図である。
【図７】図７は回転スイッチ用回転軸固定構造部分斜視図である。
【図８】図８は同カシメ工程を説明する平面図である。
【図９】図９は同カシメ工程前を説明する斜視図である。
【図１０】図１０は同カシメ工程後を説明する斜視図である。
【符号の説明】
【００２６】
Ａ  …  回転スイッチ装置
１０  …  スイッチ本体
１１  …  軸受
１２  …  位置決め突起
１３  …  取付板
２０  …  回転軸筒
２１  …  位置決め切り欠き
２２  …  カシメ用切り欠きり欠き
３０  …  回転体
【図１】
0003187078.tif 000003
【図２】
0003187078.tif 000004
【図３】
0003187078.tif 000005
【図４】
0003187078.tif 000006
【図５】
0003187078.tif 000007
【図６】
0003187078.tif 000008
【図７】
0003187078.tif 000009
【図８】
0003187078.tif 000010
【図９】
0003187078.tif 000011
【図１０】
0003187078.tif 000012